(57)【要約】      （修正有）【課題】携帯電話でクーポン情報を検索し、割引販売を提供されたぐらいでは、消費者は不満が残っていた。さらに地図上を検索したロールプレーイングゲームでは面白さに欠けていた。【解決手段】携帯電話などの端末機器のゲームで、ロールプレーイングゲームの舞台であるゲーム世界を、実際の地図にし、その中でクーポン情報を入手し、商品購入ができ、携帯電話機などの端末機器でクーポン情報を提示して、各種商品やサービスやプレゼントや割引販売を獲得するのと同時に、店舗側の確認ＩＤ番号などを携帯電話機などの携帯ゲーム端末機器で入力することによって、使用頻度や購入金額が把握でき、ゲーム使用料を徴収しているシステムを利用して、金額を還元できることを特徴とし、ストーリーの結末に、クーポン情報を交換できる場所を開催できる仕組みを組み入れ、ゲーム使用料を徴収しているシステムを利用して、交換手数料が入手できることを特徴とする。【選択図】図３
2006271920.tif 000002
【特許請求の範囲】
【請求項１】
携帯電話などの携帯ゲーム端末機器のゲームで、ロールプレーイングゲームの舞台であるゲーム世界の地図を、実際の地図にして、その中でクーポン情報を入手ができ、商品購入ができることを特徴とする、クーポンが入手でき、商品が購入できる実際の地図を使用したゲームシステム、記録媒体およびプログラム。
【請求項２】
携帯電話機などの携帯ゲーム端末機器でクーポン情報を提示して、各種商品やサービスやプレゼントや割引販売を獲得するのと同時に、店舗側の確認ＩＤ番号などを携帯電話機などの携帯ゲーム端末機器で入力することによって、使用頻度や購入金額が把握でき、ゲーム使用料を徴収しているシステムを利用して、金額を還元できることを特徴とする、クーポンが入手でき、商品が購入できる実際の地図を使用したゲームシステム、記録媒体およびプログラム。
【請求項３】
ストーリーの結末に、クーポン情報を交換できる場所を開催できる仕組みを組み入れ、ゲーム使用料を徴収しているシステムを利用して、交換手数料が入手できることを特徴とする、クーポンが入手でき、商品が購入できる実際の地図を使用したゲームシステム、記録媒体およびプログラム。
【発明の詳細な説明】
【技術分野】
【０００１】本発明は、販売促進を目的として各種商品やサービスやプレゼントや割引販売を消費者に提供するクーポンと、ゲームの要素に地図を使用したゲームに係り、特に、地図を使用するロールプレーイングゲームと呼ばれるジャンルのゲームで、携帯電話などの携帯ゲーム端末機器とサーバー使用する方法で、クーポン情報を入手ができ、また、商品購入ができ、また、消費者に金額を還元でき、また、特定の消費者に交換手数料が入手できることを容易に実現することができる、クーポンが入手でき、商品が購入できる実際の地図を使用したゲームシステム、記録媒体およびプログラムに関するものである。
【背景技術】
【０００２】従来、販売促進を目的として各種商品やサービスやプレゼントや割引販売を消費者に提供するためにクーポン券が、いろいろな手段を用いて配布され、利用されている。例えば、店舗で買い物した客に割引クーポン券を配ったり、消費者が配布されているクーポン雑誌を入手し、目的と合致するもの探して、これらのクーポン券を切り取ったり、消費者がクーポン券をインターネットのホームページで見つけ、印刷して、これらのクーポン券を店舗で引き換えたりすることや、特許第３６０５７５８号のクーポンシステムなどの方法で行われている。そして、近年では、図２のように、クーポン券を情報として捕らえ、携帯電話などでクーポン券を検索し、必要なクーポン情報だけを抽出して、その情報を引き換える方法などが行われている。【０００３】一方、地図を使用するロールプレーイングゲームは、地図上を検索し、遭遇したテーマ及び問題を解き、そのテーマ及び問題の回答をベースに、さらに地図上を検索し、新たなテーマ及び問題を解くことを繰り返しながら、ストーリーを進めていくとゆう方法で行われている。また、携帯電話などの携帯ゲーム端末機器とサーバー使用する方法では、図１のように、行われている。
【発明の開示】
【発明が解決しようとする課題】
【０００４】しかしながら、店舗でのクーポン券の配布ではクーポン券の配布量に限界があり、新規顧客を獲得するために今まで店舗に来たことのない人にクーポン券を配布し販路を拡大するというクーポン券配布の主目的には合致しないものであった。また、消費者に配布されているクーポン雑誌を入手し、目的と合致するもの探して、それらのクーポン券を使用する場合、消費者の使用目的や使用場所が合致しない場合が多く、使用目的や使用場所が合致するものを探し出すことは容易ではなかった。そして、例え合致したとしても、クーポン雑誌に掲載されている他のクーポン券を無駄にしてしまい、クーポン雑誌を提供する側からしてみれば、効率に問題があった。また、ホームページ上でのクーポン券の発券は、多くの人のアクセスにより大量に発券される可能性があるものの、印刷して、印刷した用紙を保管し、それらのクーポン券を店舗で引き換えることは、事前の準備を要し、パソコンやプリンターがない場所では利用することができなかった。また、特許第３６０５７５８号のクーポンシステムなどの方法は、コンビニエンスストア、店舗、街頭等に設置されているクーポン発券端末を設置してパソコンやプリンターがない場所を回避しているものの、やはり、クーポン発券端末を設置していない場所では、利用することができなかった。また、クーポン券を情報として捕らえ、携帯電話でクーポン情報を検索し、必要なクーポン情報だけを抽出して、その情報を引き換える方法は、パソコンやプリンターやクーポン発券端末がない場所でも利用することができ、クーポン券を無駄にすることもなく、使用目的や使用場所が合致するものを探し出すことが容易にはなってはいるものの、各種商品やサービスやプレゼントや割引販売を積極的に提供されたい消費者が利用するため、消費者の要求欲望が大きく膨らみ、小さな各種商品やサービスやプレゼントや割引販売を提供されたぐらいでは、不満が残る結果となってしまっていた。【０００５】一方、地図上を検索し、遭遇したテーマ及び問題を解き、そのテーマ及び問題の回答をベースに、さらに地図上を検索し、新たなテーマ及び問題を解くことを繰り返しながらストーリーを進めていくロールプレーイングゲームでは、テーマ及び問題が簡単に解決してしまうと面白さに欠け、逆に、テーマ及び問題が複雑だと、やる気を喪失してしまうとゆう問題を含んでいた。また、ストーリーの結末を一度でも知ると、もう一度、同様のストーリーを繰り返す意欲がなくなり、ゲーム寿命が尽きてしまうとゆう問題も含んでいた。【０００６】そこで本発明は、地図を使用したゲームで、地図上を検索し、テーマ及び問題に遭遇するのと同時に、クーポン情報に偶然に出合えるため、その意外性に目を奪われ、各種商品やサービスやプレゼントや割引販売の大きさが問題にされにくくし、そればかりか、クーポン使用頻度によって、ゲーム使用料を徴収しているシステムを利用して、金額を還元させることができるため、小さな各種商品やサービスやプレゼントや割引販売を提供しても、お得感を醸しだすことができ、また、仮想店舗などで商品が購入できるため、商品購入金額に応じ、ゲーム使用料を徴収しているシステムを利用して、金額を還元させることができるため、より一層お得感をあいまいなものにすることができる、クーポンが入手でき、商品が購入できる実際の地図を使用したゲームシステム、記録媒体およびプログラムの提供を目的とする。【０００７】そして、テーマ及び問題が複雑で、ゲームのやる気を喪失してしも、クーポン情報を入手し続けると、テーマ及び問題のヒントがより多く入手でき、喪失したゲームのやる気を復活させることができる、クーポンが入手でき、商品が購入できる実際の地図を使用したゲームシステム、記録媒体およびプログラムの提供を目的とする。【０００８】そしてまた、ストーリーの結末にクーポン情報を交換できる権限を組み入れ、ゲーム使用料を徴収しているシステムを利用して、交換手数料が入手できるため、ストーリーを繰り返しても、ゲームをする意欲がなくなりにくくする、クーポンが入手でき、商品が購入できる実際の地図を使用したゲームシステム、記録媒体およびプログラムの提供を目的とする。
【発明が解決するための手段】
【０００９】そこで本発明は、携帯電話などの携帯ゲーム端末機器のゲームで、ロールプレーイングゲームの舞台であるゲーム世界の地図を、実際の地図にして、その中でクーポン情報を入手ができ、商品購入ができることを特徴とする、クーポンが入手でき、商品が購入できる実際の地図を使用したゲームシステム、記録媒体およびプログラム。
【００１０】そして、携帯電話機などの携帯ゲーム端末機器でクーポン情報を提示して、各種商品やサービスやプレゼントや割引販売を獲得するのと同時に、店舗側の確認ＩＤ番号などを携帯電話機などの携帯ゲーム端末機器で入力することによって、使用頻度や購入金額が把握でき、ゲーム使用料を徴収しているシステムを利用して、金額を還元できることを特徴とする、クーポンが入手でき、商品が購入できる実際の地図を使用したゲームシステム、記録媒体およびプログラム。
【００１１】ストーリーの結末に、クーポン情報を交換できる場所を開催できる仕組みを組み入れ、ゲーム使用料を徴収しているシステムを利用して、交換手数料が入手できることを特徴とする、クーポンが入手でき、商品が購入できる実際の地図を使用したゲームシステム、記録媒体およびプログラム。
【発明の効果】
【００１２】本発明の、クーポンが入手でき、商品が購入できる実際の地図を使用したゲームシステム、記録媒体およびプログラムによれば、地図を使用したゲームで、地図上を検索し、テーマ及び問題に遭遇するのと同時に、クーポン情報に偶然に出合えるため、その意外性に目を奪われ、各種商品やサービスやプレゼントや割引販売の大きさが問題にされにくくし、そればかりか、ゲームの使用料をクーポン使用頻度によって、ゲーム使用料を徴収しているシステムを利用して、金額を還元させることができるため、小さな各種商品やサービスやプレゼントや割引販売を提供しても、お得感を醸しだすことができる。また、仮想店舗などで商品が購入できるため、商品購入金額に応じ、ゲーム使用料を徴収しているシステムを利用して、金額を還元させることができるため、お得感をより一層あいまいなものにできる。
【００１３】そして、テーマ及び問題が複雑で、ゲームのやる気を喪失してしも、クーポン情報を入手し続けると、テーマ及び問題のヒントがより多く入手でき、喪失したゲームのやる気を復活させることができる。
【００１４】そしてまた、ストーリーの結末にクーポン情報を交換できる権限を組み入れ、ゲーム使用料を徴収しているシステムを利用して、交換手数料が入手できるため、ストーリーを繰り返しても、ゲームをする意欲がなくなりにくい。
【００１５】そしてまた、各種商品やサービスやプレゼントや割引販売を数量限定にする場合など、エントリー期間を決め、抽選などのミニ・ゲームをさせることにより、早い者勝を無くし、地域的な不利益を無くすことができる。
【発明を実施するための最良の形態】
【００１６】図３は、本発明の、クーポンが入手でき、商品が購入できる実際の地図を使用したゲームシステム、記録媒体およびプログラムのシステムを示し、本実施例にあっては電子メールシステムを利用可能な携帯電話機を用いる場合を例にとり説明する。図中１は消費者で、１ａは消費者が使用する携帯電話機、Ａは消費者が支払う携帯電話料金、Ｂは消費者が支払うゲーム使用料、Ｃ１は消費者が店舗で支払う代金、Ｃ２は消費者が仮想店舗で支払う代金、ｘは消費者のクーポン提示行動、ｕは消費者の商品購入意思と、２は携帯電話運営会社で、２ａはＷｅｂと、６は本発明の運営会社で、６ａはサーバー群、Ｅは本発明の運営会社が消費者に還元する料金と、５は店舗で、Ｄ１は店舗が本発明の運営会社に支払うクーポン登録料、ｙは店舗のクーポン確認行動、ｚは各種商品やサービスやプレゼントや割引販売と、７は仮想店舗で、Ｄ１は店舗が本発明の運営会社に支払う仮想店舗登録料、ｖは仮想店舗の商品購入確認、ｚは各種商品の発送とからなる。【００１７】このような構成からなる本発明の、クーポンが入手でき、商品が購入できる実際の地図を使用したゲームシステム、記録媒体およびプログラムについて、フローチャートに基づいて以下に説明する。【００１８】まず、本発明の、クーポンが入手でき、商品が購入できる実際の地図を使用したゲームシステム、記録媒体およびプログラムにあっては、携帯電話による電子メールを用いることから、まずインターネット接続可能な携帯電話機を所有し、クーポンが入手でき、商品が購入できる実際の地図を使用したゲームシステム、記録媒体およびプログラムの、携帯電話側のソフトをダウンロードした契約者だけが使用する。【００１９】まず、ゲームの初期設定、主人公の名前、性別などと同時に、契約者自身の氏名、性別、年齢、住所、郵便番号、電話番号、携帯電話番号、メールアドレス、趣味や興味などの基本データの入力を行わせ、（０１）に移行する。【００２０】（０１）クーポン情報を入手していて、使用したい場合は、（０２）に移行する。また、ゲームをしたい場合は、（０５）に移行する。ここで終了する場合は（０１）に戻る。【００２１】（０２）期間限定のクーポン情報を入手している場合は、（０３）に移行する。また、数量限定のクーポン予約情報を入手している場合は、（０４）に移行する。そしてまた、数量限定のクーポン情報を入手している場合は、（０３）に移行する。ここで終了する場合は（０１）に戻る。【００２２】（０３）期間内に、発券した店舗に行き、携帯電話に表示しているクーポン情報を提示し、各種商品やサービスやプレゼントや割引販売を受ける。同時に、店舗側の確認ＩＤ番号を携帯電話機に入力することによって、サーバーが契約者の各種商品やサービスやプレゼントや割引販売を受けたことを認識する。この時、交換所で入手したクーポン情報であれば、交換所を開設した契約者が、自らが入手したクーポン情報であれば、使用した契約者が契約料の割引を受ける。そして、（０１）に戻る。【００２３】（０４）指定日時に、ゲームの主人公が発券したゲーム上の店舗に行き、整理券などをもらい、抽選やミニ・ゲームで行う。勝者は（０３）に移行する。敗者で、ゲームを継続したい場合は、（０５）に移行し、ゲームを終了したい場合は（０１）に戻る。【００２４】（０５）ゲームが開始されると、終了された住所情報がある場合は、終了された実際の地図上の住所に主人公が表示され、終了された住所情報がない場合は、基本データで入力された実際の地図上の住所に主人公が表示され、（０６）に移行する。ゲームを終了したい場合は（０１）に戻る。【００２５】（０６）それぞれのキー入力により、主人公を移動させると、時間の経過や場所によって、イベント（戦い、空腹、病気、天変地異など）が発生する。また、ここで終了する場合、住所情報を書き換え、（０１）に移行する。イベント（出会い、空腹、天変地異など）が解決できれば、（０６）に移行し、繰り返す。イベント（出会い、空腹、病気、天変地異など）が解決できなければ、（０７）に移行する。【００２６】（０７）それぞれのキー入力により、主人公を更に移動させると、時間の経過や場所によって、イベント（戦い、空腹、天変地異など）を解くためのヒントのためのイベント（出会い、発見など）が発生する。この時、期間限定のクーポン情報や数量限定のクーポン予約情報を入手できる。また、商品購入サイトにも入り込むことができ、購入手続きが完了した時点で、サーバーが契約者の購入を認識する。この時、購入金額によって、契約者が契約料の割引を受ける。ここで終了する場合、住所情報を書き換え、（０１）に移行する。【００２７】（０１）から（０７）を繰返したり、分岐したりを繰り返しながら、ゲームが進行してゆく。ただし、長くゲームを使用していたり、クーポン使用頻度や商品購入金額が高かったりする契約者を優遇するため、主人公に不要になった期間限定のクーポン情報や数量限定のクーポン情報の交換所開設の特権を与え、交換が成立するたびに、サーバーが交換したことを認識する。
【図面の簡単な説明】
【００２８】
【図１】携帯電話などの携帯ゲーム端末機器とサーバー使用するゲームシステムを示す説明図である。
【図２】クーポン券を情報として捕らえた携帯電話などの携帯ゲーム端末機器とサーバー使用するクーポンシステムを示す説明図である。
【図３】本発明の、クーポンが入手でき、商品が購入できる実際の地図を使用したゲームシステム、記録媒体およびプログラムのシステムを示す説明図である。
【符号の説明】
【００２９】１    消費者
１ａ  携帯電話機
Ａ    携帯電話料金
Ｂ    ゲーム使用料
Ｃ１  店舗で支払う代金
Ｃ２  仮想店舗で支払う代金
ｘ    クーポン提示行動
ｕ    商品購入意思
２    携帯電話運営会社
２ａ  Ｗｅｂ
３    ゲームサイト運営機構
３ａ  サーバー群
４    クーポンサイト運営機構
４ａ  サーバー群
６    本発明の運営機構
６ａ  サーバー群
Ｅ    還元する料金
５    店舗
Ｄ１  クーポン登録料
ｙ    クーポン確認行動
ｚ    各種商品やサービスやプレゼントや割引販売
７    仮想店舗
Ｄ１  仮想店舗登録料
ｖ    商品購入確認
ｚ    各種商品の発送
【図１】
2006271920.tif 000003
【図２】
2006271920.tif 000004
【図３】
2006271920.tif 000005